(57)【要約】【課題】不使用時の収納作業が容易で、使用時に元の状態に戻すことが出来る陳列棚を提供する。【解決手段】相対する１対の中支柱に棚板の基部が回動自在に取り付けられ、棚板の先端が相対する１対の端支柱に回動自在に取り付けられ、中支柱が上方へ持ち上げられたとき端支柱が中支柱の方に折り畳まれるようになされているので、中支柱を端支柱に対して上方へ移動させれば容易に折り畳むことが出来るので、収納が容易である。又、中支柱と端支柱の上下の相対位置を変えることにより、棚板を傾斜状態や水平状態にすることが出来るので、陳列物に応じて棚板の角度を容易に設定することが出来る。【選択図】        図１
2004215816.tif 000002
【特許請求の範囲】
【請求項１】
相対する１対の中支柱に棚板の基部が回動自在に取り付けられ、棚板の先端が相対する１対の端支柱に回動自在に取り付けられ、中支柱が上方へ持ち上げられたとき端支柱が中支柱の方に折り畳まれるようになされていることを特徴とする陳列棚。
【発明の詳細な説明】
【０００１】
【発明の属する技術分野】
本発明は、陳列棚に関し、特に不使用時折り畳んで容易に収納することができる陳列棚に関する。
【０００２】
【従来の技術】
【特許文献１】実用新案登録第３０７０６１１号公報
従来、陳列什器としては、不使用時には分解して収納できるものがよく知られている。又、実用新案登録第３０７０６１１号公報には、背面体と左右側面体と複数の棚板からなり、側面体が背面体に対し横方向へ擺動自在に連結された飾り棚が提案されている。
【０００３】
【発明が解決しようとする課題】
しかしながら上記の如き不使用時に分解する陳列棚においては、不使用時に分解してコンパクトに収納できるものの、再度使用するには再び組み立てる必要があり、分解組立の作業が煩瑣であった。又、実用新案登録第３０７０６１１号公報に提案されている飾り棚に於いては、コンパクトな形に折り畳むことが出来るものの、多数の棚体の掛止部を夫々はずし、その後左右側面体を背面体の方向に回転させねばならず、折り畳みの作業が煩瑣であるという問題があった。
【０００４】
そこで本発明者は従来の欠点に鑑み鋭意研究の結果、不使用時の収納作業が容易で、使用時に元の状態に戻すことが出来る陳列棚を提供するものである。
【０００５】
【課題を解決するための手段】
本発明陳列棚は、相対する１対の中支柱に棚板の基部が回動自在に取り付けられ、棚板の先端が相対する１対の端支柱に回動自在に取り付けられ、中支柱が上方へ持ち上げられたとき端支柱が中支柱の方に折り畳まれるようになされているので、中支柱を端支柱に対して上方へ移動させれば容易に折り畳むことが出来る。又、中支柱と端支柱の上下の相対位置を変えることにより、棚板を傾斜状態や水平状態にすることが出来る。
【０００６】
【発明の実施の形態】
以下、図面を参照しながら本発明に付いて説明する。
図１は本発明陳列棚の実施形態の一例を示す斜視図である。図に於いて１は中支柱であり、この中支柱１に棚板３の基部が取り付けられ、棚板３の先端に端支柱２が取り付けられている。
【０００７】
図２は図１の要部の拡大図であり、図に於いて棚板３の基部の横方向には基部横線３１が配設され、この基部横線３１に直交する縦線３２が４本平行して配設されている。この縦線３２の先端には先端横線３３が配設されている。基部横線３１と先端横線３３の両端部は両側縁の縦線３２から突出されて突出部３４となされている。中支柱１と端支柱２の適宜箇所には貫通孔が穿設されて回動孔１１、２１となされている。この回動孔１１、２１に基部横線３１と先端横線３３の端部に設けられた突出部３４が挿通され、突出部３４の先端に設けられた雄ねじにナット４が取り付けられて棚板３は中支柱１と端支柱２に回動可能に取り付けられている。
【０００８】
中支柱１と端支柱２は鋼管の適宜箇所に貫通孔が設けられて回動孔１１、２１となされている。中支柱１の上端には連結桟５が両端の端支柱２と中支柱１の夫々の上端に取り付けられ、各支柱の前後への動きを規制している。陳列棚を収納するときなどには、図３に示すように支柱上端の連結桟５をはずし、中支柱１を上方へ持ち上げれば両端の端支柱２が中支柱１の位置に来るまで折り畳まれる。
【０００９】
本発明における棚板３は前記したように鋼線が溶接などで組み立てられ、鍍金などの適宜表面処理が施されたものが好適に用いられるが、これに限るものではなく、金属板が折曲された板体の両側縁の先端と基端に金属棒などを取り付けて回動軸としても良いし、合成樹脂を成型して作製されても良い。又、線材を組み立てた上に合成樹脂板を折曲して作製された板体を載置して棚板３としてもよい。
【００１０】
本発明における支柱は、鋼管の側壁の適宜箇所に回動孔が設けられたものが好適に用いられるが、軽量型鋼等の型材が用いられても良いし、アルミニウム合金管などの金属管が用いられてもよいし、繊維強化プラスチックなどから作製されてもよい。
【００１１】
又、前記の例では、支柱に回動孔１１、２１が穿設され、棚板３の縁部に設けられた突出部３４が挿通されて、回動可能となされた例を示したが、支柱に回動軸を設け棚板３の先端と基部の側縁に回動軸に対応する回動軸受けを設けてもよい。又、連結桟５はその長さを変えることにより、棚板３の傾斜角度を変えることができる。
【００１２】
図４及び図５は本発明陳列棚の棚板３の角度を変えた様子を示す側面図である。この図に於いては各支柱の上端を連結する連結桟５の長さが異なるものを用いた例を示している。この例においては、連結桟５の長さを短くすれば棚板３が傾斜され、連結桟５を長くすれば棚板３が水平となる。又、連結桟５はこの例のように長さの異なるものを用意して於いて、棚板３を水平にするときと傾斜させるときで使い分けてもよいが、連結桟５を伸縮できるようにしてもよい。連結桟５を伸縮させるには、大径管の内径より稍々小径の外径を有する小径管を大径管内に挿通させればよい。
【００１３】
【発明の効果】
上述の如く、本発明陳列棚は、相対する１対の中支柱に棚板の基部が回動自在に取り付けられ、棚板の先端が相対する１対の端支柱に回動自在に取り付けられ、中支柱が上方へ持ち上げられたとき端支柱が中支柱の方に折り畳まれるようになされているので、中支柱を端支柱に対して上方へ移動させれば容易に折り畳むことが出来るので、収納が容易である。又、中支柱と端支柱の上下の相対位置を変えることにより、棚板を傾斜状態や水平状態にすることが出来るので、陳列物に応じて棚板の角度を容易に設定することが出来る。
【図面の簡単な説明】
【図１】本発明陳列棚の実施形態の一例を示す斜視図である。
【図２】図１の要部の拡大図である。
【図３】本発明陳列棚の折り畳まれた状態を示す斜視図である。
【図４】本発明陳列棚の棚板が傾斜状態の例を示す側面図である。
【図５】本発明陳列棚が水平状態の例を示す側面図である。
【符号の説明】
１    中支柱
１１  回動孔
２    端支柱
２１  回動孔
３    棚板
３１  基部横線
３２  縦線
３３  先端横線
３４  突出部
４    ナット
５    連結桟
【図１】
2004215816.tif 000003
【図２】
2004215816.tif 000004
【図３】
2004215816.tif 000005
【図４】
2004215816.tif 000006
【図５】
2004215816.tif 000007